(57)【要約】【課題】本願発明は、電流導体を変流器筐体へ着脱可能に締め付ける装置に関する。【解決手段】装置は、変流器筐体と、変流器筐体によりガイドされる保持部材と、保持部材によりガイドされる締め付け部材と、クランプ部材とを備え、締め付け部材および保持部材の少なくとも一方は、電流導体が変流器筐体へ締め付けられるとき、電流導体の表面の少なくとも一部の領域に接触し、締め付け部材は、電流導体を締め付けるか、若しくは取り外すように、締め付け部材の長手軸周りの回転運動により回転可能であり、クランプ部材は、変流器筐体上に可動な状態で配置され、クランプ部材は、第１位置において、電流導体を締め付けられるよう、若しくは取り外せるように、保持部材の長手軸に沿った保持部材の並進変位を可能とし、クランプ部材は、第２位置において、電流導体の取り外しを可能とする、保持部材の長手軸に沿った保持部材の並進変位を妨げる。【選択図】図１
2013540357.tif 000002
【特許請求の範囲】
【請求項１】
電流導体を変流器筐体へ着脱可能に締め付ける装置であり、
前記変流器筐体と、
前記変流器筐体によりガイドされる保持部材と、
前記保持部材によりガイドされる締め付け部材と、
クランプ部材と
を備え、
前記締め付け部材および前記保持部材の少なくとも一方は、前記電流導体が前記変流器筐体へ締め付けられるとき、前記電流導体の表面の少なくとも一部の領域に接触し、
前記締め付け部材は、前記電流導体を締め付けるか、若しくは取り外すように、前記締め付け部材の長手軸周りの回転運動により回転可能であり、
前記クランプ部材は、前記変流器筐体上に可動な状態で配置され、
前記クランプ部材は、第１位置において、前記電流導体を締め付けられるよう、若しくは取り外せるように、前記保持部材の長手軸に沿った前記保持部材の並進変位を可能とし、
前記クランプ部材は、第２位置において、前記電流導体の取り外しを可能とする、前記保持部材の前記長手軸に沿った前記保持部材の前記並進変位を妨げる、装置。
【請求項２】
前記保持部材は外側の側面に、戻り止め手段を有しており、
前記クランプ部材または前記変流器筐体は、前記戻り止め手段に対応する戻り止め部材を有しており、
前記第１位置において、前記戻り止め手段は、前記戻り止め部材から解放され、
前記第２位置において、前記戻り止め手段は、前記戻り止め部材とラッチ係合する、請求項１に記載の装置。
【請求項３】
前記戻り止め手段および前記戻り止め部材の少なくとも一方は、前記クランプ部材が前記第２位置にある状態で、前記保持部材が、前記電流導体を締め付けられるよう、前記保持部材の前記長手軸に沿って並進変位することが出来るよう設計される、請求項２に記載の装置。
【請求項４】
前記クランプ部材は、前記変流器筐体上に旋回可能に配置され、
前記クランプ部材の旋回軸は、前記保持部材の前記長手軸に対し垂直であり、
前記第１位置において、前記クランプ部材と前記保持部材との間には間隙が形成され、
前記第２位置において、前記クランプ部材は、前記保持部材に接触する、請求項１から３のいずれか１項に記載の装置。
【請求項５】
前記クランプ部材は、前記第１位置および前記第２位置の少なくとも一方において、前記変流器筐体とラッチ係合可能である、請求項４に記載の装置。
【請求項６】
前記クランプ部材は、前記変流器筐体上に変位可能に配置され、
前記クランプ部材の変位の軸は、前記保持部材の前記長手軸に対し実質的に４５°の角度を有しており、
前記第１位置において、前記クランプ部材と前記保持部材との間に間隙が形成され、
前記第２位置において、前記クランプ部材は、前記保持部材に接触する、請求項１から３のいずれか１項に記載の装置。
【請求項７】
前記クランプ部材の前記変位の軸と、前記電流導体の方向に延在する前記保持部材の前記長手軸との間の角度は、実質的に４５°である、請求項６に記載の装置。
【請求項８】
バネをさらに備え、
前記バネは、前記クランプ部材を前記第１位置から前記第２位置へと移動させるよう作用するバネ力を、前記クランプ部材に対し加える、請求項６または７に記載の装置。
【請求項９】
前記締め付け部材は、ねじとして設計され、
前記保持部材は、ねじ山を有し、
前記ねじは、前記電流導体を締め付けられるよう、若しくは取り外せるように、前記ねじ山内で、回転運動により回転可能である、請求項１から８のいずれか１項に記載の装置。
【請求項１０】
前記変流器筐体に配置される受容部材をさらに備え、
前記保持部材は前記受容部材によりガイドされ、
前記クランプ部材は前記保持部材に配置され、
前記受容部材は前記変流器筐体に着脱可能に締め付けられる、請求項１から９のいずれか１項に記載の装置。
【発明の詳細な説明】
【技術分野】
【０００１】
本願発明は、電流導体を変流器筐体へ着脱可能に締め付ける装置に関する。当該装置は、変流器筐体と、変流器筐体によりガイドされる保持部材と、保持部材によりガイドされる締め付け部材と、クランプ部材とを備える。
【背景技術】
【０００２】
従来技術により、変流器筐体に設けられた開口部により電流導体をガイドする技術が公知となっている。この場合、電流導体は通常、変流器筐体に配置された２つの保持部材によってガイドされる２つのねじ、またはねじ山を付けられたピンを用いて、変流器筐体に締め付けられる。締め付けることを目的とし、ねじまたねじ山を付けられたピンが保持部材内で、純粋な回転運動により、電流導体の方向へとその断面が電流導体の表面上に接触した状態となるまで回転させられる。ねじまたねじ山を付けられたピンの回転を続けることにより、電流導体が、変流器筐体へと固定される。
【発明の概要】
【発明が解決しようとする課題】
【０００３】
この技術において生じる課題は、電流導体を締め付ける際、ねじ山を付けられたピンまたはねじの締め付け距離が比較的長いということである。このことは純粋な回転運動によってのみ達成することが出来、この純粋な回転運動は、特に、多数の変流器筐体を電流導体に固定する際、大きな力を要し、かつ、非常に長い時間を要する。
【０００４】
よって、本願発明の目的は、比較的単純かつ迅速な取り付けを特徴とする、電流導体を変流器筐体に締め付ける装置を提供することである。
【０００５】
上記目的は、独立請求項の特徴を有する本願発明によって達成することが出来る。本願発明の有利な実施形態は、従属請求項に説明されている。
【課題を解決するための手段】
【０００６】
よって、上述した課題を解決する手段として、電流導体を変流器筐体へ着脱可能に締め付ける装置を提供する。当該装置は、変流器筐体と、変流器筐体によりガイドされる保持部材と、保持部材によりガイドされる締め付け部材と、クランプ部材とを含み、締め付け部材および保持部材の少なくとも一方は、電流導体が変流器筐体へ締め付けられるとき、電流導体の表面の少なくとも一部の領域に接触し、締め付け部材は、電流導体を締め付けるか、若しくは取り外すように、締め付け部材の長手軸周りの回転運動により回転可能であり、クランプ部材は、変流器筐体上に可動な状態で配置され、クランプ部材は、第１位置において、電流導体を締め付けられるよう、若しくは取り外せるように、保持部材の長手軸に沿った保持部材の並進変位を可能とし、クランプ部材は、第２位置において、電流導体の取り外しを可能とする、保持部材の長手軸に沿った保持部材の並進変位を妨げる。
【０００７】
本願発明によると、保持部材の並進運動および締め付け部材の回転運動の両方により、つまり、保持部材および締め付け部材の２つの基本的に独立した運動により、電流導体を変流器筐体へ締め付けることが出来る。しかし、締め付け部材は保持部材によりガイドされるので、保持部材の並進変位により、締め付け部材も並進移動させられる。電流導体の締め付けを目的とし、保持部材および締め付け部材を互いに相対的に移動させることが出来、好ましくは、保持部材が電流導体の表面にぶつかるまでは、まず保持部材を純粋に並進運動させ、その後、電流導体の最終的な固定は、保持部材によってガイドされる締め付け部材の回転運動によってなされる。このことを目的とし、保持部材は、変流器筐体上に形成されるスルーパッセージ（ｔｈｒｏｕｇｈ  ｐａｓｓａｇｅ）によりガイドされるのが好ましく、締め付け部材は、保持部材上に形成されたスルーパッセージによりガイドされるのが好ましい。結果的に、本願発明の装置は、電流導体の変流器筐体への、特に単純かつ迅速な締め付けを可能とする。好ましい実施形態においては、締め付け部材の長手軸周りに締め付け部材を回転運動させるよりも、電流導体の表面に向かって保持部材を並進変位させる方が、単位時間当たりの締め付け距離が長いので、本願発明の装置は、電流導体を着脱可能に変流器筐体へ締め付けるいわゆる「迅速な締め付け装置」を提供することが出来る。
【０００８】
好ましくは、締め付け部材および／または保持部材はそれぞれ、細長いピンのような形状を有する。これにより、電流導体の締め付けを目的とし、締め付け部材および／または保持部材は、締め付け部材および／または保持部材の長手軸に沿った方向に移動することが出来る。電流導体を締め付けるべく、締め付け部材および／または保持部材は、電流導体の方向へ移動することが出来、電流導体を取り外すべく、締め付け部材および／または保持部材は、電流導体から離れる方向に移動することが出来る。この際、締め付け部材および／または保持部材は、好ましくは、締め付け部材または保持部材の長手軸が、電流導体の長手軸に対し実質的に横方向となるよう、電流導体と関連して配置されるか、若しくは、電流導体へとガイドされる。電流導体が変流器筐体上に固定された、締め付け状態において、締め付け部材および／または保持部材の各断面は、好ましくは、電流導体の表面に接触している。
【０００９】
電流導体を変流器筐体へ締め付けるべく、好ましくは、クランプ部材はまず第１位置へと移動させられ、電流導体を締め付ける保持部材の長手軸に沿った保持部材の並進変位が可能となる。その後、保持部材が電流導体の表面にぶつかるまで、若しくは、電流導体の近傍に位置するまで、保持部材を電流導体の方向に、並進移動させる。好ましくはその後、クランプ部材は、第１位置から第２位置へと移動させられ、これにより、電流導体からの取り外しを可能とする保持部材の並進運動が妨げられ、不可能となる。保持部材の長手軸に沿った、電流導体の取り外しおよび締め付けを可能とする保持部材の並進変位は、第２位置において妨げられるのがさらに好ましい。変流器筐体への電流導体の最終的な固定を行うべく、その後、保持部材内でガイドされる締め付け部材は、好ましくは締め付け部材の断面が電流導体の表面にぶつかるまで、締結部材の長手軸周りの回転運動により回転させられる。
【００１０】
本願発明が提供する解決手段は、電流導体を変流器筐体へ締め付けるのに、締め付け部材の純粋な回転運動が必須ではなくなるという特徴を有する。まずクランプ部材が第１位置にある状態で、保持部材内でガイドされる締め付け部材が、電流導体の方向に並進移動させられ、その後、クランプ部材が第２位置にある状態で、クランプ部材により保持部材を変流器筐体へ固定した後、締め付け部材は、電流導体の方向に回転運動により移動させられる。よって、電流導体への締め付け部材の取り付けの複雑性を大いに緩和し、およびその取り付けに要する時間を大幅に短縮することが出来る。つまり、本願発明の装置は、電流導体の変流器筐体への、特に「迅速な締め付け」を可能とする。この迅速な締め付けは、締め付けを行うのに追加的な工具を必要とせず好ましく実施することが出来る。均一に締め付けを行うべく、好ましくは、変流器筐体の２つの互いに対向する側面には、締め付け部材が配置された保持部材がそれぞれ設けられる。その際、各保持部材は、各クランプ部材により、変流器筐体に固定することが出来、かつ、変流器筐体から取り外すことが出来る。
【００１１】
一般的に、当業者は、保持部材の並進変位を可能とする、若しくは妨げる多種多様な手段を提供することが出来る。しかし、本願発明の有利な実施形態によると、保持部材は外側の側面に、戻り止め手段を有しており、クランプ部材または変流器筐体は、戻り止め手段に対応する戻り止め部材を有しており、第１位置において、戻り止め手段は、戻り止め部材から解放され、第２位置において、戻り止め手段は、戻り止め部材とラッチ係合する。戻り止め手段および／または戻り止め部材は、保持部材とクランプ部材との間、若しくは保持部材と変流器筐体との間のラッチ係合を形成する、従来技術により公知となっている、例えばフックまたは突起など任意の手段として設計することが出来る。保持部材の残りの外側の側面には、少なくとも一部の領域に平滑な表面を形成するのがさらに好ましい。これにより、クランプ部材が第１位置にある状態で、保持部材の実質的に平らな他の外側の表面と変流器筐体との間に生じる摩擦を最小限にすることにより、保持部材は容易に、変流器筐体内を並進変位することが出来る。
【００１２】
これに関連し、戻り止め手段および戻り止め部材の少なくとも一方は、クランプ部材が第２位置にある状態で、保持部材が、電流導体を締め付けられるよう、保持部材の長手軸に沿って並進変位することが出来るよう設計されるのが特に好ましい。よって、好ましくは、クランプ部材が第２位置にある状態で、保持部材の長手軸に沿った、電流導体の取り外しを可能とする保持部材の並進変位は妨げられるが、保持部材の、電流導体の締め付けを可能とする並進変位は可能である。そのような構成例は、例えば、戻り止め手段および戻り止め部材の両方が、互いにラッチ係合することの出来るフックまたは突起を含み、保持部材の、電流導体の締め付けは出来るが、取り外しは出来ない変位を可能とすることにより達成できる。このような構成例により、戻り止め手段を戻り止め部材に対し「スルーラチェット（ｔｈｒｏｕｇｈ−ｒａｔｃｈｅｔｉｎｇ）」して、クランプ部材が電流導体を締め付けるべく、並進して「迅速に変位」させられる、迅速な締め付けが可能となる。
【００１３】
一般的に、クランプ部材には、例えば、プラスチック製のロッキングバー（ｌｏｃｋｉｎｇ  ｂａｒ）など、保持部材の並進変位を可能とするか、若しくは妨げる任意の設計を採用することが出来る。しかし、本願発明の好ましい実施形態によると、クランプ部材は、変流器筐体上に旋回可能に配置され、クランプ部材の旋回軸は、保持部材の長手軸に対し垂直であり、第１位置において、クランプ部材と保持部材との間には間隙が形成され、第２位置において、クランプ部材は、保持部材に接触する。このような構成例は、クランプ部材が特に簡単に、例えば工具を用い、および／または手によって、変流器筐体内で保持部材が並進変位出来るように、若しくは出来ないように、第１位置から第２位置へ、または第２位置から第１位置へ旋回させられる点で有利である。このことを目的とし、クランプ部材は、例えば、クランプ部材を旋回させる工具を挿入出来る部分を含む。そのような工具は、例えば、ドライバとして設計される。本実施形態に関し、本願発明の他の構成例によると、クランプ部材は、第１位置および第２位置の少なくとも一方において、変流器筐体とラッチ係合可能であることが特に好ましい。例えば、この構成例は、クランプ部材が、例えば第１位置および／または第２位置において変流器筐体の対応する開口部とラッチ係合する戻り止め手段を備えることにより実施可能である。このような構成例は、例えばオペレータが工具を用いてクランプ部材を第１位置と第２位置との間で旋回させ電流導体を保持部材から取り外すことがない限り、クランプ部材が第２位置から第１位置へ旋回しない点で有利である。
【００１４】
しかし、本願発明の好ましい代替的な実施形態によると、クランプ部材は、変流器筐体上に変位可能に配置され、クランプ部材の変位の軸は、保持部材の長手軸に対し実質的に４５°の角度を有しており、第１位置において、クランプ部材と保持部材との間に間隙が形成され、第２位置において、クランプ部材は、保持部材に接触する。本実施形態によると、クランプ部材が変流器筐体に変位可能に配置され、クランプ部材は、例えば工具および／または手によって始動させられ、第１位置から第２位置へ、および第２位置から第１位置へ変位することが出来る。クランプ部材は好ましくは、工具によって始動させられ、保持部材から電流導体の方向へ取り外すことが可能であり、保持部材は、変流器筐体内において並進変位が可能である。よってこの構成例は、クランプ部材を例えばドライバおよび／または指によって加えられる圧力によって、特に容易に始動させ得る点で有利である。これに関連し、本願発明の他の実施形態によると、クランプ部材の変位の軸と、電流導体の方向に延在する保持部材の長手軸との間の角度は、実質的に４５°であることがさらに好ましい。第２位置において、保持部材の電流導体から離れる方向への、例えば締め付け部材の電流導体の方向への回転運動によって生じる運動は、クランプ部材と保持部材との間の圧力を増加させ、これにより、保持部材の変流器筐体に対する固定が促進され、また自ら係止する性質のものとなる。
【００１５】
例えば金属バネのようなバネをさらに設け、バネは、クランプ部材を第１位置から第２位置へと移動させるよう作用するバネ力を、クランプ部材に対し加えることがさらに好ましい。このような構成例によって、例えば、クランプ部材が電流導体の方向へと容易に変位し、保持部材の、電流導体から離れて戻る方向への運動が妨げられる。
【００１６】
締め付け部材の長手軸周りの、保持部材内での締め付け部材の回転運動の設計に関しては、多種多様な方法が考えられ得る。本願発明の好ましい実施形態によると、締め付け部材は、ねじとして設計され、保持部材は、ねじ山を有し、ねじは、電流導体を締め付けられるよう、若しくは取り外せるように、ねじ山内で、回転運動により回転可能である。この文脈において、保持部材がねじ山の受けをさらに備えていることがさらに好ましく、ねじ山は、保持部材の長手軸に沿って、保持部材内で並進変位し得ないことが好ましい。ねじ山の受けは、ねじ山が、保持部材の側面から保持部材へと挿入され得るように設計されるのが特に好ましい。好ましくは、ねじ山は、ナット、四角ナット、六角ナットおよび／またはインサートナット（ｉｎｓｅｒｔ  ｎｕｔ）として設計される。
【００１７】
本願発明のさらに特に好ましい実施形態によると、装置は、変流器筐体に配置される受容部材をさらに含み、保持部材は受容部材によりガイドされ、締め付け部材は保持部材に配置され、受容部材は変流器筐体に着脱可能に締め付けされる。受容部材は、好ましくは、変流器筐体の側面に配置されるプラスチックホルダまたはフランジの形態である。保持部材は好ましくは、受容部材に形成されるスルーパッセージによってガイドされる。そのような構成例は、従来技術により公知の変流器筐体を「実質的に」、保持部材、締め付け部材およびクランプ部材を備える受容部材に据え付けることが出来る点で大いに有利である。上述した実施形態によると、戻り止め手段は、受容部材に配置されるのが好ましい。
【００１８】
以下、図面を参照し、好ましい例示的な実施形態に基づき、本願発明をより詳細に説明する。
【図面の簡単な説明】
【００１９】
【図１】図１は、本願発明の好ましい例示的な実施形態に係る装置の斜視図である。
【図２】図２は、本願発明の好ましい例示的な実施形態に係る、保持部材、締め付け部材およびクランプ部材を備える受容部材の側面図および断面図を組み合わせて示す図である。
【図３】図３は、本願発明の他の好ましい例示的な実施形態に係る装置の斜視図である。
【図４】図４は、本願発明の他の好ましい例示的な実施形態に係る、保持部材、締め付け部材およびクランプ部材を備える受容部材の側面図および断面図を組み合わせて示す図である。
【発明を実施するための形態】
【００２０】
図１および図２はそれぞれ、本願発明の第１の好ましい例示的な実施形態に係る装置の斜視図を示す。電流導体１を変流器筐体２へ着脱可能に締め付ける装置は、変流器筐体２、変流器筐体２によりガイドされる保持部材３と、保持部材３によりガイドされる締め付け部材４と、クランプ部材５とを備える。
【００２１】
図２および図４から分かるように、保持部材３およびクランプ部材５は受容部材６に配置され、受容部材６は、変流器筐体２に着脱可能に締め付けられる。この目的を達成するべく、受容部材６または変流器筐体２は、戻り止め素子を備える。戻り止め素子は図示されていない。受容部材６は、以下に説明するように、そのような戻り止め素子を用いなくとも、変流器筐体２へ固定することが出来る。
【００２２】
締め付け部材４はカプセルに囲まれたヘッドを備えたねじであり、電流導体１を締め付ける、または取り外すべく、ナットとして設計されたねじ山７内で、締め付け部材４の長手軸周りの回転運動により回転可能である。ねじとして設計された締め付け部材４およびナットは、保持部材３内に配置されている。この配置において、保持部材３は受容部材６内を移動することが出来る。よって締め付け部材４も受容部材６内を移動することが出来、結果的に、保持部材３および締め付け部材４は、変流器筐体２内を移動することが出来る。その際、保持部材３および締め付け部材４は、保持部材３の長手軸に沿って、電流導体１に向かって並進して電流導体１を締め付けるか、若しくは電流導体１から離れる方向へ並進して電流導体１を取り外す。電流導体１が締め付けられるとき、締め付け部材４および／または保持部材３は、電流導体１の表面の少なくとも一部の領域に接触している。
【００２３】
クランプ部材５は、受容部材６上または変流器筐体２上に可動な状態で配置され、第１位置において、電流導体１を締め付けられるよう、若しくは取り外せるように、クランプ部材５の長手軸に沿った保持部材３の並進変位を可能とする。反対に、クランプ部材５は、クランプ部材５の第２位置において、電流導体１の取り外しを可能とする、クランプ部材５の長手軸に沿った保持部材３の並進変位を妨げる。
【００２４】
この目的を達成するべく、図１および図２に示す第１実施形態において、保持部材３の外側の側面は、本例においては突起として設計される戻り止め手段８を備える。クランプ部材５はさらに、戻り止め手段８に対応し、フックとして設計される戻り止め部材９を備える。図２に示す第１位置において、戻り止め手段８は対応する戻り止め部材９と係合し、電流導体１の取り外しを可能とする、保持部材３の並進変位を妨げる。しかし、戻り止め手段８を戻り止め部材９に対し「スルーラチェット」することにより、保持部材３を電流導体１に向かって変位させることは可能である。
【００２５】
図１および図２によると、クランプ部材５は、クランプ部材５の変位の軸が保持部材３の長手軸に対して４５°の角度を有するよう、受容部材６または変流器筐体２上に変位可能に配置される。さらにバネ１０が設けられ、バネ１０は、クランプ部材５を第１位置から第２位置へ移動させるよう作用するバネ力を、クランプ部材５に対し加える。図示されない第１位置において、戻り止め手段８は戻り止め部材９とラッチ係合せず、保持部材３は、電流導体１を締め付けるか、若しくは取り外すように、保持部材３の長手軸に沿って自由に並進変位することが出来る。受け１１は、クランプ部材５を第２位置から第１位置へと移動させることを目的として設けられており、受け１１は、ドライバ、手または指などによって始動させられ得る。
【００２６】
図３および図４に示す本願発明の他の実施形態によると、クランプ部材５は、旋回軸１２が保持部材３の長手軸に対し垂直になるよう、受容部材６または変流器筐体２上に旋回可能に配置される。このことを目的とし、クランプ部材５は、第１位置において、クランプ部材５と保持部材３との間に間隙が形成され、これにより保持部材３が、受容部材６または変流器筐体２内で、保持部材３の長手軸に沿って自由に並進変位することが出来るよう旋回させられる。反対に、クランプ部材５は、図４に示すように、クランプ部材５の第２位置において、保持部材３と接触しており、保持部材３は、保持部材３の長手軸に沿って並進変位することが出来ないように固定されている。本願発明の本実施形態によると、戻り止め部材９は、受容部材６または変流器筐体２に配置される。
【００２７】
クランプ部材５はさらに、受容部材６と、若しくは変流器筐体２とラッチ係合する手段を備えており、当該手段は、本例において、受容部材６または変流器筐体２の対応する開口部１３と係合する戻り止め手段として設計される。本構成例において、クランプ部材５は同様に、工具を挿入することが出来る受け１１を備えており、その工具を用いて、クランプ部材５を第１位置から第２位置へ、若しくは反対に第２位置から第１位置へ旋回させることが出来、これにより、保持部材３を固定する、または取り外しすることが出来る。
【図１】
2013540357.tif 000003
【図２】
2013540357.tif 000004
【図３】
2013540357.tif 000005
【図４】
2013540357.tif 000006
【国際調査報告】
2013540357.tif 000007
2013540357.tif 000008
2013540357.tif 000009
2013540357.tif 000010